(57)【要約】【課題】効率よく、Ｗｅｂページを取得することができる通信端末及び自端末設定情報送出方法を提供することを目的とする。【解決手段】自端末の設定情報に適合するＷｅｂページを表示する表示部と、複数の識別情報を自端末の設定情報として送出する送出部と、自端末の設定情報を送出したサーバからＷｅｂページを取得する取得部と、取得部により新たなＷｅｂページを取得する際に、送出部により既に送出した複数の識別情報の一部の識別情報を自端末の設定情報として送出部に送出させる制御部と、を備えることで、上記課題を解決する。【選択図】図１
2011192076.tif 000002
【特許請求の範囲】
【請求項１】
自端末の設定情報に適合するＷｅｂページを表示する表示部と、
複数の識別情報を前記自端末の設定情報として送出する送出部と、
前記自端末の設定情報を送出したサーバから前記Ｗｅｂページを取得する取得部と、
前記取得部により新たなＷｅｂページを取得する際に、前記送出部により既に送出した前記複数の識別情報の一部の識別情報を自端末の設定情報として前記送出部に送出させる制御部と、を備えることを特徴とする通信端末。
【請求項２】
前記制御部は、前記送出部により既に送出した前記複数の識別情報のうち、前記取得部による新たなＷｅｂページの取得に必要ないと判定した識別情報を除く識別情報を前記自端末の設定情報として前記送出部に送出させることを特徴とする請求項１に記載の通信端末。
【請求項３】
前記複数の識別情報は、それぞれに対応する複数の項目を有しており、
前記制御部は、前記自端末の設定情報として除いた前記識別情報に対応する項目の情報を前記自端末の設定情報に含めることを特徴とする請求項２に記載の通信端末。
【請求項４】
前記制御部は、前記表示部に表示された前記Ｗｅｂページの中に、当該Ｗｅｂページに対応するＵＲＬのドメインと同一のドメインを含むＵＲＬに対応するＷｅｂページを取得するためのリンク情報が含まれ、当該リンク情報が選択された場合に、前記表示部に表示されたＷｅｂページの取得時に送出された自端末の設定情報を援用する指示を前記自端末の設定情報に含めることを特徴とする請求項１から３のいずれか１項に記載の通信端末。
【請求項５】
前記取得部により取得した前記Ｗｅｂページと、当該Ｗｅｂページの取得に必要な識別情報との関係を対応付けて記憶した記憶部をさらに有し、
前記制御部は、前記取得部により取得するＷｅｂページと、前記記憶部に当該Ｗｅｂページに対応付けて記憶されている必要な識別情報との関係に基づいて必要な識別情報を前記自端末の設定情報に含めることを特徴とする請求項１から４のいずれか１項に記載の通信端末。
【請求項６】
前記取得部により取得した前記Ｗｅｂページと、当該Ｗｅｂページの取得時に送出された自端末の設定情報との関係を対応付けて記憶した記憶部をさらに有し、
前記制御部は、前記取得部により取得するＷｅｂページが、前記記憶部に記憶されるＷｅｂページである場合に、前記記憶部に当該Ｗｅｂページと対応付けられて記憶された自端末の設定情報を援用する指示を前記自端末の設定情報に含めることを特徴とする請求項１から４のいずれか１項に記載の通信端末。
【請求項７】
前記制御部は、前記取得部により取得するＷｅｂページに対応するＵＲＬが特定の記号列を含む、又は前記取得部により取得するＷｅｂページが特定の記号列を含む場合に、前記複数の識別情報のうち個人情報に関わる識別情報の少なくとも１つを改変し、改変した識別情報を前記自端末の設定情報に含めることを特徴とする請求項１から６のいずれか１項に記載の通信端末。
【請求項８】
前記制御部は、前記送出部により既に送出した前記複数の識別情報の一部の識別情報を自端末の設定情報として送出した後、所定時間が経過しても、前記取得部による前記Ｗｅｂページの取得を行わない場合に、前記送出部により送出された初期設定されている前記複数の識別情報を自端末の設定情報として前記送出部により送出させることを特徴とする請求項１から７のいずれか１項に記載の通信端末。
【請求項９】
自端末の設定情報に適合するＷｅｂページを取得するために複数の識別情報を自端末の設定情報として送出する自端末設定情報送出方法であって、
前記自端末の設定情報を送出したサーバから前記Ｗｅｂページを取得する取得ステップと、
新たなＷｅｂページを取得する際に、既に送出した前記複数の識別情報の一部の識別情報を自端末の設定情報として送出する送出ステップと、を備えることを特徴とする自端末設定情報送出方法。
【発明の詳細な説明】
【技術分野】
【０００１】
本発明は、サーバと通信してＷｅｂページを取得する通信端末及び自端末設定情報送出方法に関する。
【背景技術】
【０００２】
通信端末は、他の機器と通信を行い、通話や情報取得を可能としている。例えば、通信端末には、インターネット通信によりＷｅｂページを取得し、表示部に表示させる機能を備える通信端末もある（特許文献１参照）。
【先行技術文献】
【特許文献】
【０００３】
【特許文献１】特開２００１−２４３１５１号公報
【発明の概要】
【発明が解決しようとする課題】
【０００４】
ここで、特許文献１の通信端末は、Ｗｅｂページの取得時に、自端末設定情報を送信している。この自端末設定情報は、Ｗｅｂページの取得に必要な、使用可能言語、対応可能な文字コード、表示可能な画像ファイル、端末の個体情報等を含んだ、いわゆるユーザエージェントといわれる情報である。
【０００５】
通信端末では、Ｗｅｂページを取得する度に自端末設定情報を送信している。そのため、自端末設定情報を送信する分だけ、通信速度が遅くなる、また、通信費用が高くなるという問題がある。
【０００６】
本発明は、上記に鑑みてなされたものであって、効率よくＷｅｂページを取得することができる通信端末及び自端末設定情報送出方法を提供することを目的とする。
【課題を解決するための手段】
【０００７】
上述した課題を解決し、目的を達成するために、本発明は、通信端末であって、自端末の設定情報に適合するＷｅｂページを表示する表示部と、複数の識別情報を前記自端末の設定情報として送出する送出部と、前記自端末の設定情報を送出したサーバから前記Ｗｅｂページを取得する取得部と、前記取得部により新たなＷｅｂページを取得する際に、前記送出部により既に送出した前記複数の識別情報の一部の識別情報を自端末の設定情報として前記送出部に送出させる制御部と、を備えることを特徴とする。
【０００８】
ここで、前記制御部は、前記送出部により既に送出した前記複数の識別情報のうち、前記取得部による新たなＷｅｂページの取得に必要ないと判定した識別情報を除く識別情報を前記自端末の設定情報として前記送出部に送出させることが好ましい。
【０００９】
また、前記複数の識別情報は、それぞれに対応する複数の項目を有しており、前記制御部は、前記自端末の設定情報として除いた前記識別情報に対応する項目の情報を前記自端末の設定情報に含めることが好ましい。
【００１０】
また、前記制御部は、前記表示部に表示された前記Ｗｅｂページの中に、当該Ｗｅｂページに対応するＵＲＬのドメインと同一のドメインを含むＵＲＬに対応するＷｅｂページを取得するためのリンク情報が含まれ、当該リンク情報が選択された場合に、前記表示部に表示されたＷｅｂページの取得時に送出された自端末の設定情報を援用する指示を前記自端末の設定情報に含めることが好ましい。
【００１１】
また、前記取得部により取得した前記Ｗｅｂページと、当該Ｗｅｂページの取得に必要な識別情報との関係を対応付けて記憶した記憶部をさらに有し、前記制御部は、前記取得部により取得するＷｅｂページと、前記記憶部に当該Ｗｅｂページに対応付けて記憶されている必要な識別情報との関係に基づいて必要な識別情報を前記自端末の設定情報に含めることが好ましい。
【００１２】
また、前記取得部により取得した前記Ｗｅｂページと、当該Ｗｅｂページの取得時に送出された自端末の設定情報との関係を対応付けて記憶した記憶部をさらに有し、前記制御部は、前記取得部により取得するＷｅｂページが、前記記憶部に記憶されるＷｅｂページである場合に、前記記憶部に当該Ｗｅｂページと対応付けられて記憶された自端末の設定情報を援用する指示を前記自端末の設定情報に含めることが好ましい。
【００１３】
また、前記制御部は、前記取得部により取得するＷｅｂページに対応するＵＲＬが特定の記号列を含む、又は前記取得部により取得するＷｅｂページが特定の記号列を含む場合に、前記複数の識別情報のうち個人情報に関わる識別情報の少なくとも１つを改変し、改変した識別情報を前記自端末の設定情報に含めることが好ましい。
【００１４】
また、前記制御部は、前記送出部により既に送出した前記複数の識別情報の一部の識別情報を自端末の設定情報として送出した後、所定時間が経過しても、前記取得部による前記Ｗｅｂページの取得を行わない場合に、前記送出部により送出された初期設定されている前記複数の識別情報を自端末の設定情報として前記送出部により送出させることが好ましい。
【００１５】
上述した課題を解決し、目的を達成するために、本発明は、自端末の設定情報に適合するＷｅｂページを取得するために複数の識別情報を自端末の設定情報として送出する自端末設定情報送出方法であって、前記自端末の設定情報を送出したサーバから前記Ｗｅｂページを取得する取得ステップと、新たなＷｅｂページを取得する際に、既に送出した前記複数の識別情報の一部の識別情報を自端末の設定情報として送出する送出ステップと、を備えることを特徴とする。
【発明の効果】
【００１６】
本発明にかかる通信端末及び自端末設定情報送出方法は、Ｗｅｂページの情報を効率よく取得することができるという効果を奏する。
【図面の簡単な説明】
【００１７】
【図１】図１は、通信システムの概略構成を示す説明図である。
【図２】図２は、図１に示す本発明の通信端末の一例の携帯通信装置の概略構成を示す正面図である。
【図３】図３は、図２に示す携帯通信装置の機能の概略構成を示すブロック図である。
【図４−１】図４−１は、携帯通信装置の処理動作の一例を示すフロー図である。
【図４−２】図４−２は、携帯通信装置の処理動作の一例を示すフロー図である。
【図５】図５は、携帯通信装置の動作を説明するための画面遷移図である。
【図６】図６は、携帯通信装置の動作を説明するための画面遷移図である。
【図７】図７は、携帯通信装置の動作を説明するための画面遷移図である。
【図８】図８は、携帯通信装置の動作を説明するための画面遷移図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、通信端末の一例として携帯通信装置を例として説明するが、本発明の適用対象は携帯通信装置に限定されるものではなく、通信機能（より具体的にはＷｅｂページを取得する機能、ブラウザ機能）を備える種々の通信端末に用いることができる。例えば、携帯型の通信端末としては、携帯電話機、ＰＨＳ（Personal  Handyphone  System）、ＰＤＡ、ポータブルナビゲーション装置、ポータブルゲーム機等に対しても本発明は適用できる。固定型の通信端末、パーソナルコンピュータ、ゲーム機等に対しても本発明は適用できる。
【００１９】
図１は、本発明の携帯通信装置を有する本発明の通信システムの概略構成を示す説明図である。図１に示す通信システム１は、通信網３と、複数のサーバ６と、複数の携帯通信装置１０、１０ａ、１０ｂとで構成されている。
【００２０】
通信網３は、複数の基地局や、中継局や、交換機や、有線の通信回線で構成されている。通信網３は、有線、無線の通信回線、通信波を発信する基地局、通信波を中継する中継局を用いて通信装置と他の通信装置との間での情報通信を行う。なお、通信網３は、通信装置間で通信を行うことができれば、種々の通信方法を用いることができ、例えば、衛星回線を利用して通信を行ってもよい。
【００２１】
サーバ６は、種々のＷｅｂページの情報を有し、通信網３を介して通信装置と通信し、種々の情報を供給する。なお、サーバ６と携帯通信装置１０とのＷｅｂページの送受信方法については、後ほど説明する。
【００２２】
携帯通信装置１０、１０ａ、１０ｂは、通信網３との間で無線通信を行う通信端末である。携帯通信装置１０、１０ａ、１０ｂは、音声信号、情報信号等を通信網３に送信し、通信網３から音声信号、情報信号等を受信する。また、それぞれの携帯通信装置１０、１０ａ、１０ｂには、固有の電話番号、端末番号が割り当てられ、記憶されている。携帯通信装置１０、１０ａ、１０ｂの構成については、後ほど説明する。
【００２３】
通信システム１は、以上のような構成である。通信システム１は、通信網３を介して情報の送受信を行うことで、携帯通信装置１０間でデータ通信を行う。また、通信システム１は、携帯通信装置１０間の情報通信だけでなく、携帯通信装置１０とサーバ６との間でも通信を行うことができる。なお、通信システム１は、通信装置間での通信として、データの送受信に加え、音声通信（いわゆる電話）も行うことができる。また、図１では、サーバ６を３つのみ、携帯通信装置１０を３つ（１０、１０ａ、１０ｂ）のみ図示しているが、通信システム１は、多数の、サーバ６と、携帯通信装置１０とを含めることができる。また、必要に応じて、固定型の通信端末は、携帯型の他の通信端末も通信システム１に含めるようにしてもよい。
【００２４】
次に、携帯通信装置１０、１０ａ、１０ｂについて説明する。なお、携帯通信装置１０と、携帯通信装置１０ａと、携帯通信装置１０ｂとは、同様の装置構成であるので、以下、携帯通信装置１０を用いて説明する。図２は、図１に示す携帯通信装置の概略構成を示す正面図である。携帯通信装置１０は、無線通信機能を備えた携帯電話機である。携帯通信装置１０は、筐体１０Ｃが第１筐体１０ＣＡと第２筐体１０ＣＢとで開閉可能に構成された、折り畳み式の携帯電話機である。なお、図２は、携帯通信装置１０を開いた状態である。なお、本実施形態では、携帯通信装置１０の筐体１０Ｃを折り畳み式としたが、筐体の形状は特に限定されない。筐体は種々の形態とすることができ、例えば、スライド式、サイクロイド式、リボルバー式、ストレート式等でもよい。
【００２５】
第１筐体１０ＣＡには、表示部として、図２に示すメインディスプレイ１２Ｍが設けられる。メインディスプレイ１２Ｍは、所定の画像として、携帯通信装置１０が受信を待機している状態のときに待ち受け画面を表示したり、携帯通信装置１０の操作を補助するために用いられるメニュー画像を表示したりする。また、図２に示すように、第１筐体１０ＣＡには、携帯通信装置１０の通話時に音声を発するレシーバ１６が設けられている。
【００２６】
第２筐体１０ＣＢには、通話する相手の電話番号や、メール作成時等に文字を入力するための操作キー１３が複数設けられ、また、メインディスプレイ１２Ｍに表示されるメニューの選択及び決定や画面のスクロール等を容易に実行するための方向及び決定キー１４が設けられる。なお、操作キー１３、及び方向及び決定キー１４は、携帯通信装置１０の操作部２８（図３参照）を構成する。また、第２筐体１０ＣＢには、携帯通信装置１０の通話時に音声を受け取るマイク１５が設けられる。
【００２７】
また、第１筐体１０ＣＡと第２筐体１０ＣＢとは、ヒンジ１８で連結されている。これによって、第１筐体１０ＣＡ及び第２筐体１０ＣＢは、ヒンジ１８を中心としてともに回動して、互いに遠ざかる方向及び互いに接近する方向に回動できるように構成される。第１筐体１０ＣＡと第２筐体１０ＣＢとが互いに遠ざかる方向に回動すると携帯通信装置１０が開き、第１筐体１０ＣＡと第２筐体１０ＣＢとが互いに接近する方向に回動すると携帯通信装置１０が閉じる。
【００２８】
次に、携帯通信装置１０の機能と制御部との関係を説明する。図３は、図２に示す携帯通信装置の機能の概略構成を示すブロック図である。図３に示すように携帯通信装置１０は、主制御部２２と、記憶部２４と、通信部２６と、操作部２８と、音声処理部３０と、表示部３２と、表示制御部３３と、ブラウザ３４と、を有する。
【００２９】
主制御部２２は、携帯通信装置１０の全体的な動作を統括的に制御する処理部、例えばＣＰＵ（Central Processing Unit）である。すなわち、携帯通信装置１０の各種の処理が、操作部２８の操作や携帯通信装置１０の記憶部２４に保存されるソフトウェアに応じて適切な手順で実行されるように、通信部２６、表示部３２等の動作を制御する。主制御部２２は、記憶部２４に保存されているプログラム（例えば、オペレーティングシステムプログラム、アプリケーションプログラム等）に基づいて処理を実行する。また、主制御部２２は、複数のプログラム（アプリケーション、ソフトウェア）を並列で実行することができる。また、主制御部２２は、後述する送出情報生成アプリ４２も実行する。
【００３０】
記憶部２４には、主制御部２２での処理に利用されるアプリケーションのプログラムやデータが保存されている。具体的には、アプリケーションのプログラムとして、送出情報生成アプリ４２、発信、着信、通話処理を行うアプリケーションのプログラム、通信可能か圏外であるかを判定するアプリケーションのプログラム、ブラウザ３４を制御するアプリケーションのプログラムや、メールの送受信を行うアプリケーションのプログラム等が保存されている。また、データとしては、識別情報リスト４４、条件テーブル４６、画像データ、音声データ、文字変換のための辞書データ、アドレス帳データ等が記憶されている。
【００３１】
送出情報生成アプリ４２は、送出するユーザエージェント（自端末設定情報）を生成するアプリケーションのプログラムであり、主制御部２２で実行されることで、サーバ６に送出するユーザエージェントを生成する。なお、ユーザエージェントとは、サーバ６からＷｅｂページを取得する際に、サーバ６に対して、送出する自端末の設定情報である。自端末の設定情報は、識別情報リストに記憶されている少なくとも１つの識別情報を有する。
【００３２】
次に、識別情報リスト４４は、ユーザエージェントして送出される各種情報（識別情報）が記憶されているリストである。識別情報リスト４４に記憶されている識別情報としては、対応しているデータの種別（例えば画像データの種類であれば、ｊｐｇ、ｐｎｇ、ｇｉｆ等）、対応文字コード、対応言語、電話番号（または端末の識別番号）、搭載ブラウザ、モデル識別番号、利用国、データ設定情報等が、例示される。
【００３３】
条件テーブル４６は、送出情報生成アプリ４２で実行されるソフトウェアが判定の基準として用いる条件が記憶されているテーブルである。つまり、ユーザエージェント（User  agent）の作成時に使用される条件が記憶されているテーブルである。
【００３４】
通信部２６は、上述した通信網３によって割り当てられるチャネルを介し、通信網３との間でＣＤＭＡ方式などによる無線信号回線を確立し、通信網３との間で電話通信及び情報通信を行う。このため、ユーザは、通信部２６による通信により所望の相手とのデータの送受信、また、通話が可能となる。
【００３５】
操作部２８は、例えば、電源キー、通話キー、数字キー、文字キー、発信キーなど、各種の機能が割り当てられた操作キー１３と、方向及び決定キー１４とで構成される。操作部２８は、これらのキーがユーザの操作により入力されると、その操作内容に対応する信号を発生させる。そして、発生した信号は、ユーザの指示として主制御部２２へ入力される。
【００３６】
音声処理部３０は、マイク１５に入力される音声信号やレシーバ１６から出力される音声信号の処理を実行する。
【００３７】
表示部３２は、液晶ディスプレイ（ＬＣＤ、Liquid Crystal Display）や、有機ＥＬ（Organic Electro−Luminescence）パネルなどで構成された表示パネル（上述したメインディスプレイ１２Ｍ等）を備え、主制御部２２から表示制御部３３を介して供給される映像データに応じた映像、画像データに応じた画像を表示パネルに表示させる。
【００３８】
ブラウザ３４は、主制御部２２による制御に基づいて、通信部２６を介してインターネット通信を行うことで、Ｗｅｂページを取得し、表示部３２に表示させる。より具体的には、ブラウザ３４は、ユーザの操作により取得が指示されたＵＲＬのＷｅｂページにアクセスしてページの情報を取得、または、キャッシュから呼び出してページの情報を取得し、Ｗｅｂページを画面に表示させる。なお、ＵＲＬは、リンク情報やお気に入りの項目の選択、または、直接入力されることで、特定される。
【００３９】
次に、図４−１から図８を用いて、携帯通信装置１０の動作について説明する。まず、図４−１及び図４−２を用いて、携帯通信装置１０の動作について説明する。ここで、図４−１及び図４−２は、それぞれ携帯通信装置の処理動作の一例を示すフロー図である。より具体的には、携帯通信装置１０によるＷｅｂページの取得時の処理動作を示すフロー図である。なお、以下の処理は、携帯通信装置１０の主制御部２２が記憶部２４から各種アプリケーションを起動させ、ブラウザ３４、通信部２６、表示部３２等の動作を制御することで、動作する。
【００４０】
まず、携帯通信装置１０の主制御部２２は、ステップＳ１２として、Ｗｅｂページの取得指示があるかを判定する。ここで、Ｗｅｂページの取得指示は、ユーザが操作部２８に所定の操作を入力することで、発生する。具体的には、記憶部のお気に入りリストに登録されているＵＲＬのＷｅｂページを取得する指示や、ブラウザを起動させてＷｅｂページを閲覧している状態で、Ｗｅｂページに含まれるリンク情報のリンク先のＷｅｂページを取得する指示が入力されることで発生する。
【００４１】
主制御部２２は、ステップＳ１２で取得指示なし（Ｎｏ）と判定したら、ステップＳ１２に進み、取得指示があるかを判定する。主制御部２２は、Ｗｅｂページの取得指示あるまで、ステップＳ１２の処理を繰り返す。なお、主制御部２２は、取得指示がない場合は、ブラウザを起動させずに他の機能の処理を行ったり、同一のＷｅｂページを表示しつづけたりする。
【００４２】
主制御部２２は、ステップＳ１２で取得指示あり（Ｙｅｓ）と判定したら、ステップＳ１４として、送出する情報を生成する。ここで、送出する情報とは、取得指示が入力されたＷｅｂページの取得に必要なユーザエージェントである。主制御部２２は、取得するＷｅｂページに基づいて、ユーザエージェントとして必要な識別情報を抽出し、抽出した識別情報からユーザエージェントを生成する。ユーザエージェントの生成方法については、後ほど説明する。また、主制御部２２は、ステップＳ１２で取得指示ありと判定した時に、ブラウザ３４や、送出するユーザエージェントを生成するアプリケーションが起動されてない場合は、ブラウザ３４を立ち上げ、かつ、該当するアプリケーションを記憶部２４から読み出し、起動させる。
【００４３】
主制御部２２は、ステップＳ１４で送出する情報（ユーザエージェント）を生成したら、ステップＳ１６として、ユーザエージェントを送出する。つまり、主制御部２２は、ステップＳ１４で生成したユーザエージェントを、サーバ６に送出する。なお、このサーバ６は、ステップＳ１２で取得する指示が入力されたＷｅｂページを有するサーバ６である。
【００４４】
主制御部２２は、ステップＳ１６でサーバ６にユーザエージェントを送出したら、ステップ１８として、サーバ６から送られてくるＷｅｂページの情報を取得し、ステップＳ２０として、取得したＷｅｂページを表示部３２に表示させて、処理を終了する。
【００４５】
次に、図４−２を用いて、ステップＳ１４について、つまり、ユーザエージェントの生成処理について、より詳細に説明する。まず、主制御部２２は、ステップＳ４０として、取得指示が入力されたＷｅｂページに遷移経験があるかを判定する。ここで、遷移経験があるかとは、取得が指示されているＷｅｂページを以前に取得したことがあるかということである。したがって、以前に取得したことがあるＷｅｂページを取得する場合は、遷移経験ありと判定される。なお、主制御部２２は、遷移経験があるかの判定は、キャッシュ（cache）、記憶部２４に保存されている履歴に基づいて判定すればよい。
【００４６】
主制御部２２は、ステップＳ４０で遷移経験あり（Ｙｅｓ）と判定したら、ステップＳ４６に進む。また、主制御部２２は、ステップＳ４０で遷移経験なし（Ｎｏ）と判定したら、ステップＳ４２として、取得指示の内容が相対アドレスであるかを判定する。ここで、相対アドレスとは、現在表示させているＷｅｂページのアドレスとの相対位置で、取得対象のＷｅｂページを指定しているアドレスである。したがって、主制御部２２は、取得指示されたＷｅｂページのアドレスが、現在表示させているＷｅｂページのアドレスとの相対位置で指定されているアドレスである場合は、相対アドレスである（Ｙｅｓ）と判定し、取得指示されたＷｅｂページのアドレスが、現在表示させているＷｅｂページのアドレスとの相対位置で指定されてないアドレスである、例えば絶対アドレスである場合は、相対アドレスではない（Ｎｏ）と判定する。
【００４７】
主制御部２２は、ステップＳ４２で相対アドレスではない（Ｎｏ）と判定したら、ステップＳ４４として、基本ユーザエージェントを生成する。ここで、基本ユーザエージェントとは、識別情報を１つも省略することなく、識別情報リスト４４に記憶される全ての識別情報を含んだユーザエージェントである。基本ユーザエージェントは、その携帯通信装置で、初めてＷｅｂページを取得する場合に送出するユーザエージェントである。主制御部２２は、ステップＳ４４で基本ユーザエージェントを生成したら、本処理を終了する。その後、主制御部２２は、ステップＳ１６に進む。
【００４８】
また、主制御部２２は、ステップＳ４０でＹｅｓ、または、ステップＳ４２で相対アドレスである（Ｙｅｓ）と判定したら、ステップＳ４６として、ユーザエージェントの生成を制御する。主制御部２２は、ステップＳ４６で、基本ユーザエージェントとは異なるユーザエージェント（制御したユーザエージェント）を生成する。具体的には、識別情報の中から必要な識別情報を抽出した（つまり、基本ユーザエージェントに含まれる識別情報の中から不要な識別情報を除外した）ユーザエージェントを生成する。なお、制御したユーザエージェントは、条件テーブル４６、現在表示されているＷｅｂページの情報、及び、取得が指示されたＷｅｂページのアドレスに基づいて、抽出する識別情報を決定すればよい。主制御部２２は、ステップＳ４６で制御したユーザエージェントを生成したら、本処理を終了する。その後、主制御部２２は、ステップＳ１６に進む。
【００４９】
このように、通信システム１および携帯通信装置１０は、取得するＷｅｂページに応じて、送出するユーザエージェントを制御する、つまりユーザエージェントを加工することで、サーバ６に必要な識別情報を選択した状態のユーザエージェントを送出することができる。つまり、ユーザエージェントに不要な識別情報を含めないようにすることができる。これにより、携帯通信装置１０から送出するユーザエージェントの情報量を少なくすることができ、必要な情報をより短時間で送信することができる。また、送出する情報量を少なくすることで、通信料金も低減することができる。
【００５０】
また、サーバ６も、携帯通信装置１０から送られるユーザエージェントの情報が少なくなることで、受信するまた処理する対象の情報を少なくすることができる。これにより、情報の処理量を少なくすることができる。また、通信回線の負荷も低減することができる。
【００５１】
ここで、上記実施形態では、ステップＳ４２として、相対アドレスであるかを判定したが、取得指示されたＷｅｂページに対応するＵＲＬのドメイン名が、現在表示させているＷｅｂページに対応するＵＲＬのドメイン名と同一ドメイン名であるかを判定するようにしてもよい。このようにドメイン名が一致する場合も、同一ドメイン名を有する対象（サーバ６）に対して、ユーザエージェントを送出している状態であるので、一部の識別情報の送出を抑制することができる。つまり、一部の識別情報を備えないユーザエージェントを送出しても、Ｗｅｂページの取得が可能となる。
【００５２】
ここで、同一ドメイン名であるとは、表示されたＷｅｂページに対応するＵＲＬと、取得するＷｅｂページに対応するＵＲＬとの最上位階層の少なくとも一部であって、特定された記号列が同一であることをいう。例えば、Ｗｅｂページに対応するＵＲＬが「ｈｔｔｐ:／／ｗｗｗ．ｘｙｚ.ｃｏ．ｊｐ/ｔｅｎｋｉ／」と、「ｈｔｔｐ：／／ｗｗｗ．ｘｙｚ.ｃｏ．ｊｐ／ｎｅｗｓ／」とである場合は、最上位階層の特定された記号列である「ｘｙｚ．ｃｏ．ｊｐ」が同一であるから同一ドメインである。また、Ｗｅｂページに対応するＵＲＬが「ｈｔｔｐ：／／ｗｗｗ．ｘｙｚ.ｃｏ．ｊｐ／ｔｅｎｋｉ／」と「ｈｔｔｐ：／／ｗｗｗ．ａｂｃ．ｃｏ．ｊｐ／ｔｅｎｋｉ／」とである場合は、最上位階層の特定された記号列が「ｘｙｚ.ｃｏ．ｊｐ」と「ａｂｃ．ｃｏ．ｊｐ」とで異なるため、同一のドメインではない。なお、最上位階層の特定された記号列とは、Ｗｅｂページで共通する「ｈｔｔｐ：／／ｗｗｗ．」の部分を除いた部分の文字列である。
【００５３】
なお、上記実施形態では、ステップＳ１２でＷｅｂページの取得指示があるかの判定を繰り返したが、これに限定されず、Ｗｅｂページの取得指示を検出したら、図４−１のステップＳ１４以下の処理を開始するようにしてもよい。
【００５４】
ここで、ステップＳ４６の処理について具体例と共に説明する。図５及び図６は、携帯通信装置の動作を説明するための画面遷移図である。なお、図５及び図６には、それぞれ、相対アドレスであると判定する場合の一例を示す。
【００５５】
携帯通信装置１０は、図５に示すように、ユーザにより操作されることで、表示部３２に画面６０ａが表示された状態となる。なお、画面６０ａは、主制御部がブラウザ３４を制御し、お気に入りに登録されたＷｅｂページ（サイト）を選択可能な状態で表示させている画面である。
【００５６】
携帯通信装置１０は、画面６０ａを表示させている状態で、「０１：ＡＡＡ」と表示されているＷｅｂページを取得する指示を検出したら、該当するＷｅｂページを有するサーバ６に対してユーザエージェントを送出する。なお、この場合、ユーザエージェントとしては、基本ユーザエージェントを送出する。サーバ６は、携帯通信装置１０から送られてきたユーザエージェントに基づいて、携帯通信装置１０を特定し、特定した情報に基づいて、Ｗｅｂページの情報を送る。つまり、サーバは、送出するＷｅｂページの情報に含ませる文字コードや言語を選択して、携帯通信装置１０に送る。携帯通信装置１０は、サーバ６から送られたＷｅｂページの情報を取得し、画面６０ｂとして表示する。
【００５７】
次に、携帯通信装置１０は、画面６０ｂを表示させている状態で、「ＡＡＡ  ＴＥＬ」と表示されているリンク情報のＷｅｂページが選択される指示を検出したら、該当するＷｅｂページを有するサーバ６に対してユーザエージェントを送出する。ここで、「ＡＡＡ  ＴＥＬ」に対応するＷｅｂページのリンク情報が相対アドレスとなっている場合、携帯通信装置１０は、サーバ６に、制御したユーザエージェントを送出する。具体的には、携帯通信装置１０は、画面６０ｂを取得する際に送出したユーザエージェントを援用する指示を含むユーザエージェントを生成して、送出する。
【００５８】
サーバ６は、携帯通信装置１０から送られた制御したユーザエージェントの情報に基づいて、携帯通信装置１０を特定し、特定した情報に基づいて、Ｗｅｂページの情報を送る。つまり、ユーザエージェントに含められた、画面６０ｂを取得する際に送出したユーザエージェントを援用する指示に基づいて、参照するユーザエージェントの識別情報を抽出し、その抽出した識別情報に基づいて、携帯通信装置１０を特定する。携帯通信装置１０は、サーバ６から送られたＷｅｂページの情報を取得し、画面６０ｃとして表示する。
【００５９】
このように、ユーザエージェントは、取得するＷｅｂページが相対アドレスである場合は、既にサーバに対して送出したユーザエージェントを援用する指示を加えることで、基本ユーザエージェントに含まれる識別情報を全て除外しても、つまり、基本ユーザエージェントに含まれる識別情報を抽出しないでも、サーバ６からＷｅｂページを取得することができる。
【００６０】
なお、相対アドレスでＷｅｂページが指定されている場合は、基本的に同一のサーバ６が有するＷｅｂページの取得であるため、援用する指示を送ることで、サーバ６は、携帯通信装置１０を特定することができる。また、上述したように同一ドメイン名である場合も同様の制御ができる。
【００６１】
携帯通信装置１０は、図６に示すように、ユーザにより操作されることで、表示部３２に画面６０ａ´が表示された状態とされる。なお、画面６０ａは、主制御部がブラウザ３４を制御し、お気に入りに登録されたＷｅｂページ（サイト）を選択可能な状態で表示させている画面である。
【００６２】
携帯通信装置１０は、画面６０ａ´を表示させている状態で、「０１：ＡＡＡ」と表示されているＷｅｂページを取得する指示を検出したら、該当するＷｅｂページを有するサーバ６に対してユーザエージェントを送出する。なお、ユーザエージェントとしては、基本ユーザエージェントを送出する。サーバ６は、携帯通信装置１０から送られてきたユーザエージェントに基づいて、携帯通信装置１０を特定し、特定した情報に基づいて、Ｗｅｂページの情報を送る。携帯通信装置１０は、サーバ６から送られたＷｅｂページの情報を取得し、画面６０ｂ´として表示する。なお、ここで、Ｗｅｂページには、同一サイト内（同一ドメイン名のＷｅｂページ内）には、画像が含まれていない旨の情報が含まれている。
【００６３】
次に、携帯通信装置１０は、画面６０ｂ´を表示させている状態で、「ＡＡＡ  ＴＥＬ」と表示されているリンク情報のＷｅｂページが選択される指示を検出したら、該当するＷｅｂページを有するサーバ６に対してユーザエージェントを送出する。ここで、「ＡＡＡ  ＴＥＬ」に対応するＷｅｂページのリンク情報が相対アドレスとなっている場合、携帯通信装置１０は、サーバ６に、制御したユーザエージェントを送出する。具体的には、携帯通信装置１０は、画面６０ｂ´を取得する際に取得した、「同一サイト内には、画像が含まれていない旨の情報」に基づいて、対応データ（対応できる画像データの種別）に関する識別情報を除外した（抽出していない）ユーザエージェントを生成して、送出する。
【００６４】
サーバ６は、携帯通信装置１０から送られた制御したユーザエージェントの情報に基づいて、携帯通信装置１０を特定し、特定した情報に基づいて、Ｗｅｂページの情報を送る。携帯通信装置１０は、サーバ６から送られたＷｅｂページの情報を取得し、画面６０ｃとして表示する。
【００６５】
このように、ユーザエージェントは、取得するＷｅｂページが相対アドレスであり、サイド内に画像データがないことを検出している場合は、対応データに関する識別情報を除外しても、サーバ６からＷｅｂページを取得することができる。このように、携帯通信装置１０は、現在表示させているＷｅｂページに含まれる情報から必要な識別情報のみを抽出し、つまり、必要ない識別情報を除外してユーザエージェントを生成することで、送出する情報量を少なくすることができる。
【００６６】
なお、上記実施形態では、画面６０ｂ、画面６０ｂ´のＷｅｂページの取得時に基本ユーザエージェントを送出したが、この場合も制御したユーザエージェントを送出するようにしてもよい。
【００６７】
次に、図７を用いて、遷移経験ありと判定する場合の一例を説明する。ここで、図７は、携帯通信装置の動作を説明するための画面遷移図である。
【００６８】
まず、携帯通信装置１０は、図７に示すように、ユーザにより操作されることで、表示部３２に画面６０ａが表示された状態とされる。なお、画面６０ａは、主制御部がブラウザ３４を制御し、お気に入りに登録されたＷｅｂページ（サイト）を選択可能な状態で表示させている画面である。
【００６９】
携帯通信装置１０は、画面６０ａを表示させている状態で、「０１：ＡＡＡ」と表示されているＷｅｂページを取得する指示を検出したら、該当するＷｅｂページを有するサーバ６に対してユーザエージェントを送出する。なお、ユーザエージェントとしては、基本ユーザエージェントを送出する。サーバ６は、携帯通信装置１０から送られてきたユーザエージェントに基づいて、携帯通信装置１０を特定し、特定した情報に基づいて、Ｗｅｂページの情報を送る。携帯通信装置１０は、サーバ６から送られたＷｅｂページの情報を取得し、画面６０ｄとして表示する。なお、画面６０ｄのＷｅｂページは、画像情報が含まれていない。
【００７０】
携帯通信装置１０は、このようにして取得した画面６０ｄのＷｅｂページを解析し、当該Ｗｅｂページの取得に必要な識別情報、不要な識別情報を判定する。ここで、携帯通信装置１０は、画面６０ｄのＷｅｂページは、画像情報が含まれていないことから、識別情報として、対応データに関する識別情報は、必要ない識別情報であると判定する。携帯通信装置１０は、判定した結果をＷｅｂページのアドレス（ＵＲＬ、相対アドレス）に対応付けて、条件テーブル４６に記憶させる。
【００７１】
携帯通信装置１０は、条件テーブル４６に記憶させた後に、画面６０ａを表示させている状態で、「０１：ＡＡＡ」と表示されているＷｅｂページを取得する指示を検出したら、ユーザエージェントとして、対応データに関する識別情報を含まないユーザエージェントを生成し、送出する。サーバ６は、携帯通信装置１０から送られてきたユーザエージェントに基づいて、携帯通信装置１０を特定し、特定した情報に基づいて、Ｗｅｂページの情報を送る。
【００７２】
このように、携帯通信装置１０は、遷移経験があるＷｅｂページを取得する場合は、過去に取得したＷｅｂページの情報に基づいて、条件テーブルに設定されている条件に基づいて、ユーザエージェントを生成することで、不要な識別情報を送出することを抑制でき、ユーザエージェントの情報量を少なくすることができる。
【００７３】
なお、上記実施形態では、携帯通信装置１０の遷移経験に基づいて、識別情報の要否を条件として登録したが、本発明はこれに限定されない。携帯通信装置１０は、Ｗｅｂページのアドレスと必要な識別情報（ユーザエージェントに含める識別情報）との関係を、外部のサーバ６から取得し、条件テーブル４６に記憶させるようにしてもよい。つまり、Ｗｅｂページのアドレスと必要な識別情報との関係の情報を集約したサーバ６を通信網３上に設け、携帯通信装置１０は、このサーバ６から情報を取得してもよい。このように、サーバ６から情報を取得することで、携帯通信装置１０が取得したことがないＷｅｂページを取得する場合も適切に、制御したユーザエージェントを送出することできる。これにより、より効率よく送出するユーザエージェントの情報量を少なくすることができる。
【００７４】
また、携帯通信装置１０は、条件テーブル４６に記憶させるＷｅｂページのアドレスと必要な識別情報（ユーザエージェントに含める識別情報）との関係を、更新することが好ましい。このように、条件テーブル４６を更新することで、ユーザエージェントを常に適切に制御することができる。また、適切な条件テーブル４６の更新のために、定期的に基本ユーザエージェントをサーバ６に送信してもよい。
【００７５】
なお、上記実施形態では、いずれも不要な識別情報をユーザエージェントに含めないことで、制御したユーザエージェントを生成したが、つまり、基本ユーザエージェントの一部の識別情報でユーザエージェントを生成したが、本発明はこれにも限定されない。識別情報として、改変した識別情報を含めるようにしてもよい。ここで、図８は、携帯通信装置の動作を説明するための画面遷移図である。
【００７６】
まず、携帯通信装置１０は、図８に示すように、ユーザにより操作されることで、表示部３２に画面６０ａが表示された状態とされる。なお、画面６０ａは、主制御部がブラウザ３４を制御し、お気に入りに登録されたＷｅｂページ（サイト）を選択可能な状態で表示させている画面である。
【００７７】
携帯通信装置１０は、画面６０ａを表示させている状態で、「０１：ＡＡＡ」と表示されているＷｅｂページを取得する指示を検出したら、該当するＷｅｂページを有するサーバ６に対してユーザエージェントを送出する。なお、ユーザエージェントとしては、基本ユーザエージェントを送出する。サーバ６は、携帯通信装置１０から送られてきたユーザエージェントに基づいて、携帯通信装置１０を特定し、特定した情報に基づいて、Ｗｅｂページの情報を送る。携帯通信装置１０は、サーバ６から送られたＷｅｂページの情報を取得し、画面６０ｅとして表示する。
【００７８】
携帯通信装置１０は、このようにして取得した画面６０ｄのＷｅｂページを解析し、当該Ｗｅｂページが特定の記号列（例えば、有害なＷｅｂページであることを示唆する文字列）を含む場合に、有害なＷｅｂページであると判定する。携帯通信装置１０は、携帯通信装置１０は、判定した結果をＷｅｂページのアドレス（ＵＲＬ、相対アドレス）に対応付けて、条件テーブル４６に記憶させる。つまり、条件テーブル４６に、該当するＷｅｂページが有害なＷｅｂページであると記憶させる。
【００７９】
携帯通信装置１０は、条件テーブルに条件を設定した後に、画面６０ａを表示させている状態で、「０１：ＡＡＡ」と表示されているＷｅｂページを取得する指示を検出したら、ユーザエージェントとして、電話番号の情報を改変した識別情報を含むユーザエージェントを生成し、送出する。サーバ６は、携帯通信装置１０から送られてきたユーザエージェントに基づいて、携帯通信装置１０を特定し、特定した情報に基づいて、Ｗｅｂページの情報を送る。
【００８０】
このように、携帯通信装置１０は、改変した識別情報を送出することで、有害なＷｅｂページに自身の情報を送出することを抑制することができる。これにより、有害なＷｅｂページを有するサーバ６に自身の電話番号等の個人情報に関わる識別情報を認識されることを抑制することができる。なお、上述したように、対応関係が記憶されたサーバ６から有害なＷｅｂページの対応関係を予め取得しておくことで、自身の個人情報に関わる識別情報が知られることを防ぐことができる。また、改変した識別情報をユーザエージェントに含めて送出することで、識別情報を欠落させることなくユーザエージェントを生成することができ、Ｗｅｂページを取得することができる。つまり、ユーザエージェントの識別情報が不十分であると判定され、Ｗｅｂページが取得できない恐れを低減することができる。
【００８１】
また、上記実施形態では、いずれもお気に入りの画面からＷｅｂページを取得する場合として説明したが、Ｗｅｂページを表示させている状態でリンク情報を利用して、Ｗｅｂページを取得する場合も同様である。また、ユーザがＵＲＬを手動で入力して、そのＵＲＬのＷｅｂページを取得する場合も同様である。
【００８２】
また、携帯通信装置１０は、制御したユーザエージェントを送出した後、一定時間経過後もサーバ６からＷｅｂページが送出されない場合、つまり、Ｗｅｂページを取得できない場合は、基本ユーザエージェントを送出するようにしてもよい。このように、一定時間経過後に基本ユーザエージェントを送出することで、制御したユーザエージェントに対応できないサーバ６からも確実にＷｅｂページを取得することができる。
【００８３】
なお、ユーザエージェントは、抽出しない識別情報に関する情報を何も付加しないで生成してもよいが、内容を抽出しない識別情報も項目は、送信するようにしてもよい。ここで、項目とは、識別情報として「日本語」を例にあげるのであれば、項目は「対応言語」であり、また、識別情報として「ｊｐｇ．ｐｎｇ．ｇｉｆ．」を例にあげるのであれば、項目は「データの種別」である。このようなユーザエージェントに識別情報の項目を含めるようにすること、つまり、ユーザエージェントから除いた識別情報についても識別情報の項目を含めることで、サーバ６からＷｅｂページをより確実に取得することができる。つまり、サーバ６が、ユーザエージェントの受信を完了していないと判定して、Ｗｅｂページの送出を開始しない状態になることを抑制することができる。また、ユーザエージェントに識別情報の内容を含めないことで、ユーザエージェントの情報量は少なくすることができる。
【００８４】
また、ユーザエージェントは、識別情報の一部の情報のみを含めるようにしてもよい。つまり識別情報を含める場合も、識別情報の一部を除去するようにしても良い。例えば、識別情報として、対応可能な画像データの種類、ｊｐｇ、ｐｎｇ、ｇｉｆが含まれている場合、識別情報として、ｊｐｇのみを含めるようにしてもよい。これにより、ユーザエージェントの情報量をより少なくすることができる。また、全ての識別情報を除外できない項目の識別情報の情報量も少なくすることができる。
【産業上の利用可能性】
【００８５】
以上のように、本発明にかかる通信端末及び自端末設定情報送出方法は、サーバと通信しＷｅｂページを取得する装置、また、Ｗｅｂページを取得する場合に用いることに有用である。
【符号の説明】
【００８６】
１  通信システム
３  通信網
６  サーバ
１０、１０ａ、１０ｂ  携帯通信装置
１０Ｃ  筐体
１０ＣＡ  第１筐体
１０ＣＢ  第２筐体
１２Ｍ  メインディスプレイ
１３  操作キー
１４  方向及び決定キー
１５  マイク
１６  レシーバ
２２  主制御部
２４  記憶部
２６  通信部
２８  操作部
３０  音声処理部
３２  表示部
３３  表示制御部
３４  ブラウザ
４２  送出情報生成アプリ
４４  識別情報
４６  条件テーブル
【図１】
2011192076.tif 000003
【図２】
2011192076.tif 000004
【図３】
2011192076.tif 000005
【図４−１】
2011192076.tif 000006
【図４−２】
2011192076.tif 000007
【図５】
2011192076.tif 000008
【図６】
2011192076.tif 000009
【図７】
2011192076.tif 000010
【図８】
2011192076.tif 000011